(57)【要約】【課題】広いスペースを必要とせずに、簡単かつ容易に接地用母線の端子数を増設する方法および該方法に使用する追加接地金具を提供する。【解決手段】既設接地用母線１のアース線接続端子２の数を増設する方法であって、上記既設接地用母線１に追加接地金具１１を取り付ける。追加接地金具１１に設けたアース線接続端子１２によって、上記既設接地用母線１のアース線接続端子２の数を実質的に増加させた。追加接地金具１１を、複数のアース線接続端子１２を設けた接地用母線部１３と、該接地用母線部１３に垂直方向に設けられた段差形成部１４と、該段差形成部１４の先端に設けられて既設接地用母線１の主面に取り付ける固定部１５と、で構成した。【選択図】図１
2009055665.tif 000002
【特許請求の範囲】
【請求項１】
接地用母線のアース線接続端子の数を増設する方法であって、接地用母線に追加接地金具を取り付け、該追加接地金具に設けたアース線接続端子によって上記既設接地用母線のアース線接続端子の数を実質的に増加させたことを特徴とする接地用母線の端子数を増設する方法。
【請求項２】
請求項１の接地用母線のアース線接続端子の数を増設する方法に使用する追加接地金具であって、該追加接地金具は、アース線接続端子を設けた接地用母線部と、該接地用母線部に垂直方向に設けられた段差形成部と、該段差形成部の先端に設けられて上記既設接地用母線の主面に取り付ける固定部と、を備え、全体が導電性素材で形成されていることを特徴とする追加接地金具。
【請求項３】
請求項２に記載の追加接地金具において、上記固定部は、フラットな板状に形成されていて、上記既設接地用母線の上面に重ね合わせてネジ止めされていることを特徴とする追加接地金具。
【請求項４】
請求項２に記載の追加接地金具において、上記固定部は、上記既設接地用母線の上，下面を挟着する第１，第２の挟着板部と、これら第１，第２の挟着板部に挟着力を付与する挟着力付与部材と、で構成されていることを特徴とする追加接地金具。
【請求項５】
請求項４に記載の追加接地金具において、上記第２の挟着板部は、上記第１の挟着板部に軸と長孔によって該第１の挟着板部に対して接離方向に移動可能に取り付けられているとともに、上記挟着力付与部材は、上記第１の挟着板部に設けた孔を通して先端部が上記第２の挟着板部に設けたネジ孔に螺合されている締付ネジで構成されていることを特徴とする追加接地金具。
【請求項６】
請求項４に記載の追加接地金具において、上記第２の挟着板部は、上記第１の挟着板部に軸によって該第１の挟着板部に対して接離方向に回動可能に取り付けられているとともに、上記挟着力付与部材は、上記第２の挟着板部に対して上記第１の挟着板部に接触する方向の回動力を付与する捩りコイルバネで構成されていることを特徴とする追加接地金具。
【請求項７】
請求項７の発明は、請求項４〜請求項６の何れかに記載の追加接地金具において、上記第１，第２の挟着板部は、上記既設接地用母線の上，下面との接触部に滑り止めを備えていることを特徴とする追加接地金具。
【発明の詳細な説明】
【技術分野】
【０００１】
本発明は、接地用母線のアース線接続端子の数を増やす必要が生じたときに、既存の接地用母線をそのまま使用してアース線接続端子の数を増設する方法および該方法に使用する追加接地金具に関するものである。
【背景技術】
【０００２】
配電盤の接地用母線として、図１０に示すものが知られている。接地用母線１は、細長い長方形の板状に形成されていて、多数のアース線接続端子２が設けられている。接地用母線１は、配電盤３の底面３ａに複数のスタッド４を介して複数のネジ５によって取り付けられている。上記接地用母線１のアース線接続端子２は、盤内アース線６によって端子台７の各端子に接続される。配電盤３の底面３ａには外部ケーブル引込口８が設けられていて、該外部ケーブル引込口８から外部ケーブル（図示省略）を配電盤３内に引き込むと共に、外部引出アース線９を配電盤３外に引き出す。
【０００３】
上述の配電盤において、盤内の改良等により端子台７の端子数が上記接地用母線１のアース線接続端子２の数よりも多くなった場合、或いは図１０に２点鎖線で示すように盤外の端子台１０、例えば隣接する配電盤の端子台１０の端子を上記接地用母線１のアース線接続端子に接続する必要が生じるなどして、上記接地用母線１のアース線接続端子２の数が不足する場合には主に次の２つの手段が講じられている。第１は、接地用母線１そのものをアース線接続端子２の多いものに取り替える方法であり、第２は、既存の接地用母線１は、其の侭の状態にしておいて、更に、新たな接地用母線を配電盤３内に増設する方法である。（例えば、特許文献１参照）。
【特許文献１】特開２００２−２５２９０６号公報
【発明の開示】
【発明が解決しようとする課題】
【０００４】
ところで、上記第１の方法は、既存の接地用母線１から盤内アース線６や外部引出アース線９等を取り外して、新しい接地用母線に接続し直さなければならず作業効率が悪く、また、接続し直す際に配線ミスを起こし易いという問題点がある。
【０００５】
また、上記第２の方法は、新しい接地用母線を配置するために大きな配置スペースを必要とする。特許文献１は、接地用母線を増設する際の利便性を考慮して、予め配電盤内に接地用母線を増設するための空間を確保しておくというものである。
【０００６】
本発明の目的は、広いスペースを必要とせずに、簡単かつ容易に接地用母線の端子数を増設する方法および該方法に使用する追加接地金具を提供することにある。
【課題を解決するための手段】
【０００７】
請求項１の発明は、接地用母線のアース線接続端子の数を増設する方法であって、接地用母線に追加接地金具を取り付け、該追加接地金具に設けたアース線接続端子によって上記既設接地用母線のアース線接続端子の数を実質的に増加させた。
【０００８】
請求項２の発明は、請求項１の接地用母線のアース線接続端子の数を増設する方法に使用する追加接地金具であって、該追加接地金具を、複数のアース線接続端子を設けた接地用母線部と、該接地用母線部に垂直方向に設けられた段差形成部と、該段差形成部の先端に設けられて上記既設接地用母線の主面に取り付ける固定部と、で構成し、全体を導電性素材で形成した。
【０００９】
請求項３の発明は、請求項２に記載の追加接地金具において、上記固定部を、フラットな板状に形成し、上記既設接地用母線の上面に重ね合わせてネジ止めした。
【００１０】
請求項４の発明は、請求項２に記載の追加接地金具において、上記固定部を、上記既設接地用母線の上，下面を挟着する第１，第２の挟着板部と、これら第１，第２の挟着板部に挟着力を付与する挟着力付与部材と、で構成した。
【００１１】
請求項５の発明は、請求項４に記載の追加接地金具において、上記第２の挟着板部を、軸と長孔によって上記第１の挟着板部に対して接離方向に移動可能に取り付けるとともに、上記挟着力付与部材を、上記第１の挟着板部に設けた孔を通して先端部が上記第２の挟着板部に設けたネジ孔に螺合されている締付ネジで構成した。
【００１２】
請求項６の発明は、請求項４に記載の追加接地金具において、上記第２の挟着板部を、軸によって上記第１の挟着板部に対して接離方向に回動可能に取り付けるとともに、上記挟着力付与部材を、上記第２の挟着板部に対して上記第１の挟着板部に接触する方向の回動力を付与する捩りコイルバネで構成した。
【００１３】
請求項７の発明は、請求項４〜請求項６の何れかに記載の追加接地金具において、上記第１，第２の挟着板部の上記既設接地用母線の上，下面との接触部に滑り止めを設けた。
【発明の効果】
【００１４】
（１）請求項１の接地用母線のアース線接続端子の数を増設する方法は、既設の接地用母線から配線を外すことなく、今まで通り使用しながら、容易に新規にアース線接続端子を増やすことができる。また、既設の接地用母線に追加接地金具を取り付けるので、追加接地金具を既設の接地用母線から離れた場所に配置する場合に較べて省スペース化を図ることができる。
（２）請求項２の追加接地金具は、接地用母線と既設接地用母線との間に上記段差形成部によって段差をもたせたので、追加接地金具の存在が既設接地用母線の配線の邪魔になることはない。換言すれば、既設接地用母線の配線の存在に支障なく追加接地金具を既設接地用母線に取り付けることができる。
（３）請求項３の追加接地金具は、固定部をフラットな板状に形成したので、これを既設接地用母線の上面に重ね合わせてネジ止めするという簡単な方法で既設接地用母線に取り付けることができる。
（４）請求項４の追加接地金具は、固定部を第１，第２の挟着板部で構成し、これら第１，第２の挟着板部で既設接地用母線の上，下面を挟着する構成にしたので、より確実に既設接地用母線に取り付けることができる。
（５）請求項５の追加接地金具は、締付ネジの回転操作により第１，第２の挟着板部を接近、離間させて、固定部を既設接地用母線に着脱させることができる。
（６）請求項６の追加接地金具は、捩りコイルバネのバネ力によって、第１，第２の挟着板部で既設接地用母線の上，下面を挟着して、追加接地金具を既設接地用母線に取り付けた状態に維持する。
（７）請求項７の追加接地金具は、滑り止めによって第１，第２の挟着板部の上記既設接地用母線の上，下面との間に滑りが発生するのを防止する。
【発明を実施するための最良の形態】
【００１５】
図１〜図４は第１実施例を示す。図１は配電盤内における接地用母線の配置例を示す斜視図である。接地用母線１は、細長い長方形の板状に形成されていて、多数のアース線接続端子２が設けられている。接地用母線１は、配電盤３の底面３ａに第１，第２の２つのスタッド４ａ，４ｂを介して第１，第２の２つのネジ５ａ，５ｂによって取り付けられている。
【００１６】
上記接地用母線１のアース線接続端子２は、盤内アース線６によって端子台７の各端子に接続される。配電盤３の底面３ａには外部ケーブル引込口８が設けられていて、該外部ケーブル引込口８から外部ケーブル（図示省略）を配電盤３内に引き込むと共に、外部引出アース線９を配電盤３外に引き出す。
【００１７】
接地用母線１には追加接地金具１１が着脱可能に取り付けられている。上記追加接地金具１１には、複数のアース線接続端子１２が設けられていて、これらアース線接続端子１２によって実質的に上記接地用母線１のアース線接続端子２の数を増やしたのと同じにする。
【００１８】
図２，図３に示すように、追加接地金具１１は、複数のアース線接続端子１２を設けた接地用母線部１３と、該接地用母線部１３に垂直方向に設けられた第１、第２の段差形成部１４ａ，１４ｂと、該これら段差形成部１４ａ，１４ｂの先端に設けられて上記既設接地用母線１の主面に取り付けられる第１、第２の固定部１５ａ，１５ｂと、で構成されている。上記追加接地金具１１は、銅等の導電性に優れた金属板を略Ｚ状に折り曲げることにより形成されている。
【００１９】
上記第１、第２の段差形成部１４ａ，１４ｂは、接地用母線部１３の長辺の一方の辺の両端に略垂直に形成されている。上記第１、第２の固定部１５ａ，１５ｂは、上記第１、第２の段差形成部１４ａ，１４ｂの先端を略水平に折り曲げることにより形成されている。
【００２０】
上記第１、第２の固定部１５ａ，１５ｂは、フラットな板状に形成されている。上記第１の固定部１５ａの中央部には上記第１のネジ５ａを挿入する孔１６ａが設けられ、上記第２の固定部１５ｂの中央部には上記第２のネジ５ｂを挿入する孔１６ｂが設けられている。
【００２１】
追加接地金具１１を取り付ける際には、図３に示すように、既設接地用母線１に設けられている第１，第２のネジ孔１ａ，１ｂの位置に、上記第１、第２の固定部１５ａ，１５ｂの中央部に設けられている第１、第２の孔１６ａ，１６ｂの位置に合わせて、上記第１、第２の固定部１５ａ，１５ｂを既設接地用母線１上に重ね合わせる。そして、第１、第２の孔１６ａ，１６ｂに第１，第２のネジ５ａ，５ｂを挿入し、これら第１，第２のネジ５ａ，５ｂの先端を上記第１，第２のスタッド４ａ，４ｂに螺着することにより共締めされる。
【００２２】
第１実施例の追加接地金具１１は、上述のような構成であって、図４に示すように、既設接地用母線１の幅Ｄ１に対して接地用母線部１３の幅Ｄ２と略同じ幅を広げるだけで、既設接地用母線１に取り付けることができる。
【００２３】
図５は第２実施例を示す。この実施例においては、追加接地金具１１の接地用母線部１３の短辺側に第１、第２の段差形成部１４ａ，１４ｂと第１、第２の固定部１５ａ，１５ｂを設け、接地用母線部１３を既設接地用母線１の略真上に重ね合わせて取り付けた。第２実施例においては既設接地用母線１の幅Ｄ１の範囲内でアース線接続端子の数を増やすことができる。
【００２４】
図６は第３実施例を示す。この実施例は追加接地金具１１に１〜３個程度の少数のアース線接続端子１２を設けた場合を示す。アース線接続端子１２の数が少なく接地用母線部１３の長さＬが短い場合には、単一の段差形成部１４を設けて、該段差形成部１４に連続させて設けた固定部１５をネジ５で既設接地用母線１に取り付ける構成にしてもよい。上記接地用母線部１３の短い追加接地金具１１は、既設接地用母線１に１個取り付けても、或いは複数取り付けてもよい。
【００２５】
図７，図８は、第４実施例を示す。この実施例において、固定部１５は、既設接地用母線１の上，下面１ｃ，１ｄを挟着する第１，第２の挟着板部２１，２２と、これら第１，第２の挟着板部２１，２２に挟着力を付与する挟着力付与部材２３と、で構成されている。
【００２６】
上記第２の挟着板部２２は、上記第１の挟着板部２１に軸２４と長孔２５によって該第１の挟着板部２１に対して接離方向に移動可能に取り付けられている。また、上記挟着力付与部材２３は、上記第１の挟着板部２１に設けた孔を通して先端部が上記第２の挟着板部２２に設けたネジ孔に螺合されている締付ネジ（以下、アジャストネジと称する）で構成されている。
【００２７】
この実施例においては、挟着力付与部材２３としての締付ネジを一方向に回転させることにより第１の挟着板部２１に第２の挟着板部２２を接近させて、これら第１，第２の挟着板部２１，２２で既設接地用母線１の上，下面１ｃ，１ｄを挟着して追加接地金具１１を既設接地用母線１に取り付け、アジャストネジを他方向に回転させることにより第１，第２の挟着板部２１，２２による既設接地用母線１の上，下面１ｃ，１ｄの挟着を解除して既設接地用母線１から取り外す。
【００２８】
上記第１，第２の挟着板部２１，２２の既設接地用母線１の上，下面１ｃ，１ｄとの接触部にはローレット加工や梨地加工を施すことにより滑り止め２６が設けられていて、上記第１，第２の挟着板部２１，２２と既設接地用母線１の上，下面１ｃ，１ｄとの間に滑りが発生するのを防止している。他の構成は基本の実施例と同じであるので重複する説明は省略する。
【００２９】
図９は、第５実施例を示す。この実施例において、上記固定部１５の第２の挟着板部２２は、上記第１の挟着板部２１に軸３１によって該第１の挟着板部２１に対して接離方向に回動可能に取り付けられている。また、上記挟着力付与部材２３には、上記第２の挟着板部２２に上記第１の挟着板部２１に接触する方向の回動力を付与する捩りコイルバネが使用されている。
【００３０】
この実施例においては、挟着力付与部材２３としての捩りコイルバネのバネ力に抗して第２の挟着板部２２の一端側２２ａを押圧操作すれば、該第２の挟着板部２２は、上記軸３１を中心に回動して他端側２２ｂが第１の挟着板部２１から離間する。そこで、第１，第２の挟着板部２１，２２の間に既設接地用母線１を挿入した後に上記第２の挟着板部２２の一端側２２ａの押圧を解除すれば第２の挟着板部２２が上記挟着力付与部材２３としての捩りコイルバネのバネ力によって復帰方向の回動力を付与されて第１，第２の挟着板部２１，２２で既設接地用母線１の上，下面１ｃ，１ｄを挟着して、追加接地金具１１は、既設接地用母線１に取り付けられる。その他の構成は第４実施例の場合と同じであるので重複する説明は省略する。
【図面の簡単な説明】
【００３１】
【図１】配電盤内における接地用母線の配置例を示す斜視図。
【図２】要部の拡大斜視図。
【図３】要部の分解斜視図。
【図４】要部の平面図。
【図５】第２実施例の斜視図。
【図６】第３実施例の斜視図。
【図７】第４実施例の斜視図。
【図８】第４実施例の側面図。
【図９】第５実施例の側面図。
【図１０】従来例の説明図。
【符号の説明】
【００３２】
１…接地用母線
２…アース接続端子
３…配電盤
３ａ…底面
４，４ａ，４ｂ…スタッド
５，５ａ，５ｂ…ネジ
６…盤内アース線
７…端子台
８…外部ケーブル引込口
９…外部引出アース線
１１…追加接地金具
１２…アース線接続端子
１３…接地用母線部
１４，１４ａ，１４ｂ…段差形成部
１５，１５ａ，１５ｂ…固定部
１６，１６ａ，１６ｂ…ネジ孔
２１…第１の挟着部
２２…第２の挟着部
２３…挟着力付与部材
２４…軸
２５…長孔
２６…滑り止め
３１…軸
【図１】
2009055665.tif 000003
【図２】
2009055665.tif 000004
【図３】
2009055665.tif 000005
【図４】
2009055665.tif 000006
【図５】
2009055665.tif 000007
【図６】
2009055665.tif 000008
【図７】
2009055665.tif 000009
【図８】
2009055665.tif 000010
【図９】
2009055665.tif 000011
【図１０】
2009055665.tif 000012